(57)【要約】  一端部が開口する筒状をなし、内部に流動体状のはんだを収容するはんだカップ（７０）と、はんだカップ内に挿入され、はんだカップ内のはんだを外部に排出するためのノズル部（８８）と、ノズル部の外周部に設けられ、はんだカップ内に嵌入されるフランジ部（９０）と、はんだカップの底面とエア室を区画する外筒（７２）とを備えたはんだ供給装置（２６）において、エア室へのエアの供給により、はんだカップとフランジ部とを相対移動させることで、ノズル部の先端からはんだが供給される。このように、本発明のはんだ供給装置によれば、エアシリンダ，電磁モータ等を用いることなく、はんだ容器からはんだを供給することが可能となる。
2015083271.tif 000002
【特許請求の範囲】
【請求項１】
一端部が開口する筒状をなし、内部に流動体状のはんだを収容するはんだ容器と、  前記はんだ容器内に挿入され、前記はんだ容器内のはんだを外部に排出するためのノズルと、  前記ノズルの外周部に設けられ、前記はんだ容器の開口から前記はんだ容器内に嵌入されるピストンと、  前記はんだ容器の他端部側の面と、その他端部側の面に装着されるアダプタと、前記ピストンの前記はんだ容器の開口を向く側の面とのうちの、いずれか１つとエア室を区画する区画部材と  を備え、  前記エア室へのエアの供給により、前記はんだ容器と前記ピストンとを相対移動させ、前記ノズルの先端からはんだを供給するはんだ供給装置。
【請求項２】
前記ピストンが、  前記ノズルと相対移動可能に、前記ノズルの外周部に設けられ、  当該はんだ供給装置が、  前記ノズルの先端を挿通させた状態で前記はんだ容器の開口を密閉する蓋を備え、  前記蓋が、前記区画部材として機能することを特徴とする請求項１に記載のはんだ供給装置。
【請求項３】
前記ピストンが、  前記ノズルの外周部に固定的に設けられ、  当該はんだ供給装置が、  一端部が開口する筒状をなし、その開口から前記はんだ容器の他端部が嵌入された状態で、前記はんだ容器を収納する外筒を備え、  前記外筒が、前記区画部材として機能することを特徴とする請求項１に記載のはんだ供給装置。
【請求項４】
当該はんだ供給装置が、  両端部が開口する筒状をなし、一端部において前記ピストン、若しくは、前記ノズルを保持し、他端部において前記はんだ容器の開口から延び出すとともに、前記外筒に固定される内筒を備えることを特徴とする請求項３に記載のはんだ供給装置。
【請求項５】
前記内筒が、  前記ピストン、若しくは、前記ノズルと分離可能であることを特徴とする請求項４に記載のはんだ供給装置。
【請求項６】
前記外筒の他端部側の面が、開閉可能であることを特徴とする請求項４または請求項５に記載のはんだ供給装置。
【請求項７】
前記外筒が、  対象物にはんだを印刷するはんだ印刷機に揺動可能に装着されることを特徴とする請求項６に記載のはんだ供給装置。
【請求項８】
前記ピストンの外周部と前記はんだ容器の内周面との間で生じる摩擦力が、  前記内筒による前記ピストン、若しくは、前記ノズルの保持力より大きいことを特徴とする請求項６または請求項７に記載のはんだ供給装置。
【請求項９】
当該はんだ供給装置が、  対象物にはんだを印刷するはんだ印刷機に、ロック機構によって、着脱可能に装着されることを特徴とする請求項２ないし請求項５のいずれか１つに記載のはんだ供給装置。
【発明の詳細な説明】
【技術分野】
【０００１】  本発明は、一端部が開口する筒状をなし、内部に流動体状のはんだを収容するはんだ容器から流動体状のはんだを供給するためのはんだ供給装置に関するものである。
【背景技術】
【０００２】  はんだ供給装置には、下記特許文献１に記載されているように、エアシリンダを用いて、はんだ容器内の圧力を高くすることで、はんだ容器から流動体状のはんだを供給するものがある。また、下記特許文献２に記載されているように、電磁モータによりはんだ容器内の圧力を高める機構を作動させ、はんだ容器から流動体状のはんだを供給するものがある。【０００３】
【特許文献１】特開２００３−３１１９３０号公報
【特許文献２】特開２００４−３０６１０２号公報
【発明の開示】
【発明が解決しようとする課題】
【０００４】  上記特許文献に記載のはんだ供給装置によれば、はんだ容器から流動体状のはんだを供給することが可能である。しかしながら、上記特許文献に記載のはんだ供給装置には、エアシリンダ，電磁モータ等を配設する必要があり、はんだ供給装置の構造が複雑化する。また、エアシリンダ，電磁モータ等の配設スペースが必要となり、はんだ供給装置が大型化する。本発明は、そのような実情に鑑みてなされたものであり、本発明の課題は、エアシリンダ，電磁モータ等を用いることなく、はんだ容器から流動体状のはんだを供給することが可能なはんだ供給装置を提供することである。
【課題を解決するための手段】
【０００５】  上記課題を解決するために、本願の請求項１に記載のはんだ供給装置は、一端部が開口する筒状をなし、内部に流動体状のはんだを収容するはんだ容器と、前記はんだ容器内に挿入され、前記はんだ容器内のはんだを外部に排出するためのノズルと、前記ノズルの外周部に設けられ、前記はんだ容器の開口から前記はんだ容器内に嵌入されるピストンと、前記はんだ容器の他端部側の面と、その他端部側の面に装着されるアダプタと、前記ピストンの前記はんだ容器の開口を向く側の面とのうちの、いずれか１つとエア室を区画する区画部材とを備え、前記エア室へのエアの供給により、前記はんだ容器と前記ピストンとを相対移動させ、前記ノズルの先端からはんだを供給することを特徴とする。【０００６】  また、請求項２に記載のはんだ供給装置では、請求項１に記載のはんだ供給装置において、前記ピストンが、前記ノズルと相対移動可能に、前記ノズルの外周部に設けられ、当該はんだ供給装置が、前記ノズルの先端を挿通させた状態で前記はんだ容器の開口を密閉する蓋を備え、前記蓋が、前記区画部材として機能することを特徴とする。【０００７】  また、請求項３に記載のはんだ供給装置では、請求項１に記載のはんだ供給装置において、前記ピストンが、前記ノズルの外周部に固定的に設けられ、当該はんだ供給装置が、一端部が開口する筒状をなし、その開口から前記はんだ容器の他端部が嵌入された状態で、前記はんだ容器を収納する外筒を備え、前記外筒が、前記区画部材として機能することを特徴とする。【０００８】  また、請求項４に記載のはんだ供給装置は、請求項３に記載のはんだ供給装置において、両端部が開口する筒状をなし、一端部において前記ピストン、若しくは、前記ノズルを保持し、他端部において前記はんだ容器の開口から延び出すとともに、前記外筒に固定される内筒を備えることを特徴とする。【０００９】  また、請求項５に記載のはんだ供給装置では、請求項４に記載のはんだ供給装置において、前記内筒が、前記ピストン、若しくは、前記ノズルと分離可能であることを特徴とする。【００１０】  また、請求項６に記載のはんだ供給装置では、請求項４または請求項５に記載のはんだ供給装置において、前記外筒の他端部側の面が、開閉可能であることを特徴とする。【００１１】  また、請求項７に記載のはんだ供給装置では、請求項６に記載のはんだ供給装置において、前記外筒が、対象物にはんだを印刷するはんだ印刷機に揺動可能に装着されることを特徴とする。【００１２】  また、請求項８に記載のはんだ供給装置では、請求項６または請求項７に記載のはんだ供給装置において、前記ピストンの外周部と前記はんだ容器の内周面との間で生じる摩擦力が、前記内筒による前記ピストン、若しくは、前記ノズルの保持力より大きいことを特徴とする。【００１３】  また、請求項９に記載のはんだ供給装置は、請求項２ないし請求項５のいずれか１つに記載のはんだ供給装置において、対象物にはんだを印刷するはんだ印刷機に、ロック機構によって、着脱可能に装着されることを特徴とする。
【発明の効果】
【００１４】  請求項１に記載のはんだ供給装置では、はんだ容器内のはんだを装置の外部に排出するためのノズルが、はんだ容器内に挿入されている。そのノズルの外周部には、ピストンが設けられ、そのピストンが、はんだ容器の開口からはんだ容器内に嵌入されている。また、はんだ供給装置には、区画部材が設けられており、はんだ容器の他端部側の面と、その他端部側の面に装着されるアダプタと、ピストンのはんだ容器の開口を向く側の面とのうちの、いずれか１つと区画部材とによって、エア室が区画されている。そして、エア室にエアが供給されることで、はんだ容器とピストンとが相対移動し、ノズルの先端からはんだが供給される。つまり、はんだ容器の底面、若しくは、はんだ容器の底面に装着されたアダプタが、直接、エアにより押圧されることで、はんだ容器が、ピストンに向かって移動する。これにより、はんだ容器内の圧力が高くなり、はんだ容器からはんだが供給される。また、はんだ容器内に嵌入されたピストンが、直接、エアにより押圧されることで、ピストンがはんだ容器の底面に向かって移動する。これにより、はんだ容器内の圧力が高くなり、はんだ容器からはんだが供給される。このように、請求項１に記載のはんだ供給装置によれば、エアシリンダ，電磁モータ等を用いることなく、はんだ容器からはんだを供給することが可能となる。【００１５】  また、請求項２に記載のはんだ供給装置では、ピストンが、ノズルと相対移動可能とされている。そして、ノズルの先端を挿通させた状態ではんだ容器の開口を密閉する蓋が、区画部材として機能している。これにより、ピストンと蓋とによってエア室を区画することが可能となり、ピストンをエア圧により適切に移動させることが可能となる。【００１６】  また、請求項３に記載のはんだ供給装置では、ピストンが、ノズルの外周部に固定的に設けられている。そして、一端部が開口する筒状をなし、その開口からはんだ容器の底面が嵌入された状態で、はんだ容器を収納する外筒が、区画部材として機能している。これにより、外筒とはんだ容器の底面、若しくは、外筒とはんだ容器の底面に装着されたアダプタによってエア室を区画することが可能となり、はんだ容器をエア圧により適切に移動させることが可能となる。【００１７】  また、請求項４に記載のはんだ供給装置では、両端部が開口する筒状の内筒が設けられている。その内筒は、一端部においてピストン、若しくは、ノズルを保持し、他端部においてはんだ容器の開口から延び出すとともに、外筒に固定されている。これにより、ピストン、若しくは、ノズルを固定的に保持することが可能となり、はんだ容器を、ピストンに向かって適切に移動させることが可能となる。【００１８】  また、請求項５に記載のはんだ供給装置では、内筒が、ピストン、若しくは、ノズルと分離可能である。つまり、はんだに直接、接触するピストン、若しくは、ノズルを内筒から取り外すことが可能となる。これにより、汚れやすいピストンやノズルを単独で洗浄することが可能となる。【００１９】  また、請求項６に記載のはんだ供給装置では、外筒の開口部と反対側の面が、開閉可能である。これにより、例えば、その面が開放されることで、開放された箇所から、はんだ容器等と取り出すことが可能となり、はんだ容器の交換作業等を容易に行うことが可能となる。【００２０】  また、請求項７に記載のはんだ供給装置では、外筒がはんだ印刷機に揺動可能に装着されている。つまり、はんだ印刷機の所定の位置に配設されたはんだ供給装置を、傾斜させることが可能となっている。これにより、例えば、外筒の開口部と反対側の面を開放し、その開放された箇所を下向きにすることで、外筒内のはんだ容器が、重力により、外筒から排出される。したがって、請求項７に記載のはんだ供給装置によれば、容易に、はんだ容器を外筒から取り出すことが可能となる。【００２１】  また、請求項８に記載のはんだ供給装置では、ピストンの外周部とはんだ容器の内周面との間で生じる摩擦力が、内筒によるピストン、若しくは、ノズルの保持力より大きい。このため、外筒の開口部と反対側の面を開放し、その開放された箇所を下向きにすることで、外筒内のはんだ容器が、重力により、外筒から排出される際に、はんだ容器とともに、はんだ容器内のピストンおよびノズルも、外筒から取り出される。これにより、効率よく、はんだ容器の交換作業等を行うことが可能となる。【００２２】  また、請求項９に記載のはんだ供給装置は、ロック機構によって、はんだ印刷機に着脱可能に装着される。このため、ロック機構を解除するだけで、はんだ供給装置をはんだ印刷機の外に取り出すことが可能となり、機外で、はんだ容器の交換作業等を行うことが可能となる。これにより、はんだ容器交換時において、はんだの落下等によるはんだ印刷機内の汚れを抑制することが可能となる。また、狭いはんだ印刷機内部での交換作業でなく、はんだ印刷機の外部で交換作業を行えるため、交換作業を容易に行うことが可能となる。
【図面の簡単な説明】
【００２３】
【図１】本発明の実施例であるはんだ印刷機を示す平面図である。
【図２】図１のはんだ印刷機が備えるはんだ供給装置を示す断面図である。
【図３】図２のはんだ供給装置を示す斜視図である。
【図４】図１のはんだ印刷機が備える制御装置を示すブロック図である。
【図５】外筒を外した状態のはんだ供給装置を示す断面図である。
【図６】はんだカップを外した状態のはんだ供給装置を示す断面図である。
【図７】外筒内に新品のはんだカップを収容した状態のはんだ供給装置を示す断面図である。
【図８】新品のはんだカップに交換されたはんだ供給装置を示す断面図である。
【図９】第２実施例のはんだ供給装置を示す断面図である。
【図１０】図９のはんだ供給装置のはんだカップが空になった状態を示す断面図である。
【図１１】図１０のはんだ供給装置が搖動した状態を示す断面図である。
【図１２】第３実施例のはんだ供給装置を示す断面図である。
【発明を実施するための最良の形態】
【００２４】  以下、本発明を実施するための形態として、本発明の実施例を、図を参照しつつ詳しく説明する。【００２５】  ［第１実施例］  ＜はんだ印刷機の構成＞  図１に、本発明の実施例のはんだ印刷機１０を示す。はんだ印刷機１０は、回路基板にクリームはんだを印刷するための装置である。はんだ印刷機１０は、搬送装置２０と、移動装置２２と、スキージ装置２４と、はんだ供給装置２６とを備えている。【００２６】  搬送装置２０は、Ｘ軸方向に延びる１対のコンベアベルト３０と、コンベアベルト３０を周回させる電磁モータ（図４参照）３２とを有している。１対のコンベアベルト３０は、回路基板３４を支持し、その回路基板３４は、電磁モータ３２の駆動により、Ｘ軸方向に搬送される。また、搬送装置２０は、保持装置（図４参照）３６を有している。保持装置３６は、コンベアベルト３０によって支持された回路基板３４を、所定の位置（図１での回路基板３４が図示されている位置）において固定的に保持する。なお、回路基板３４の上面には、メタルマスク（図示省略）が載置されている。【００２７】  移動装置２２は、Ｙ軸方向スライド機構５０とＸ軸方向スライド機構５２とによって構成されている。Ｙ軸方向スライド機構５０は、Ｙ軸方向に移動可能にベース５４上に設けられたＹ軸スライダ５６を有している。そのＹ軸スライダ５６は、電磁モータ（図４参照）５８の駆動により、Ｙ軸方向の任意の位置に移動する。また、Ｘ軸方向スライド機構５２は、Ｘ軸方向に移動可能にＹ軸スライダ５６の側面に設けられたＸ軸スライダ６０を有している。そのＸ軸スライダ６０は、電磁モータ（図４参照）６２の駆動により、Ｘ軸方向の任意の位置に移動する。【００２８】  スキージ装置２４は、搬送装置２０の上方において、Ｙ軸スライダ５６に取り付けられており、搬送装置２０に保持された回路基板３４の上方の任意の位置に移動する。スキージ装置２４は、スキージ（図示省略）を有しており、そのスキージは、下方に延び出す状態で、Ｙ軸方向および、上下方向に移動可能にスキージ装置２４によって保持されている。そして、スキージは、電磁モータ（図４参照）６６の駆動により、Ｙ軸方向に移動し、電磁モータ（図４参照）６８の駆動により、上下方向に移動する。【００２９】  はんだ供給装置２６は、Ｘ軸スライダ６０に取り付けられており、移動装置２２によってベース５４上の任意の位置に移動する。はんだ供給装置２６は、図２に示すように、はんだカップ７０と外筒７２と供給ノズル７４と内筒７６と固定蓋７８とを有している。はんだカップ７０は、一端部に開口部を有する有底円筒形状の容器であり、内部にクリームはんだが充填されている。はんだカップ７０の開口部側の外周面には、フランジ部８０が形成されており、そのフランジ部８０と開口部側の端との間には、ねじ山（図示省略）が形成されている。そして、開口部を塞ぐ蓋（図示省略）がねじ山に螺合された状態で、市販されている。つまり、クリームはんだの製造業者は、はんだカップ７０にクリームはんだを充填し、蓋によって開口部が塞がれたはんだカップ７０を販売している。そして、ユーザは、はんだカップ７０を購入し、蓋が開けられた状態のはんだカップ７０を使用する。【��０３０】  また、外筒７２も、一端部に開口部を有する有底円筒形状とされており、外筒７２の内部に、はんだカップ７０が収納されている。詳しくは、外筒７２の内周面は、外筒７２の開口部側に位置する第１内周面８２と、外筒７２の底面８３側に位置する第２内周面８４とによって構成されている。第１内周面８２の内径は、はんだカップ７０のフランジ部８０の外径より僅かに大きくされており、第２内周面８４の内径は、はんだカップ７０の筒状の部分の外径より僅かに大きくされている。そして、はんだカップ７０の底面側の端部が、外筒７２の開口部から嵌入され、はんだカップ７０が、外筒７２内に収納されている。これにより、はんだカップ７０は、外筒７２の内部を摺動する。ただし、外筒７２の第２内周面８４の部分の深さ寸法は、はんだカップ７０のフランジ部８０から底面までの長さ寸法より長くされており、外筒７２内に収納されたはんだカップ７０のフランジ部８０は、外筒７２の第１内周面８２と第２内周面８４との間の段差面に当接する。このため、はんだカップ７０の底面と外筒７２の底面８３との間には、空間８６が形成される。なお、本明細書中では、有底円筒形状の部材の開口部と反対側の面を、底面と記載する。つまり、有底円筒形状の部材の開口部と反対側の面が上方に位置し、開口部が下方に位置する場合であっても、開口部と反対側の面を、蓋ではなく、底面と記載する。【００３１】  また、供給ノズル７４は、ノズル部８８とフランジ部９０とから構成されており、ノズル部８８とフランジ部９０とが、弾性変形可能な素材により一体的に形成されている。ノズル部８８は、概して円筒形状とされており、内部を貫通するノズル穴９２が形成されている。フランジ部９０は、ノズル部の一端部側の外周面から円盤状に延び出しており、フランジ部９０の外径は、はんだカップ７０の内径より僅かに大きくされている。そして、フランジ部９０は、ノズル部８８がはんだカップ７０の開口部側を向くように、はんだカップ７０内に嵌入されており、フランジ部９０の外周部が弾性変形した状態で、供給ノズル７４がはんだカップ７０の内部を摺動する。【００３２】  また、内筒７６は、円筒形状の筒部９６と、筒部９６の一端を覆う円環部９８とを有しており、円環部９８において、供給ノズル７４を保持している。詳しくは、供給ノズル７４のノズル部８８の外周面は、フランジ部９０側に位置する第１外周面１００と、ノズル部８８の先端部側に位置する第２外周面１０２とによって構成されており、第１外周面１００の外径は、第２外周面１０２の外径より小さくされている。一方、内筒７６の円環部９８の内径は、第１外周面１００の外径より僅かに大きくされており、第２外周面１０２の外径より僅かに小さくされている。そして、円環部９８の内径部に、ノズル部８８が、第２外周面１０２の部分を弾性変形させつつ、嵌入されており、円環部９８の内径部とノズル部８８の第１外周面１００とが係合している。これにより、内筒７６は、円環部９８において、供給ノズル７４を保持している。なお、内筒７６は、円環部９８において、供給ノズル７４を保持していることから、はんだカップ７０の内部に位置しているが、筒部９６の円環部９８が配設されてい��い側の端部は、はんだカップ７０の開口部から延び出している。【００３３】  また、供給ノズル７４を内筒７６から離間する方向に引っ張ることで、ノズル部８８の第２外周面１０２の部分が弾性変形し、供給ノズル７４を内筒７６から取り外すことが可能である。ただし、供給ノズル７４を内筒７６から取り外す際にノズル部８８の第２外周面１０２の部分を弾性変形させるために必要な力、つまり、内筒７６による供給ノズル７４の保持力は、はんだカップ７０内に嵌入されている供給ノズル７４のフランジ部９０とはんだカップ７０の内周面との間に生じる摩擦力より、大きい。このため、供給ノズル７４を保持している内筒７６を、はんだカップ７０から離間する方向に引っ張った場合には、供給ノズル７４は、内筒７６から離脱することなく、内筒７６と一緒にはんだカップ７０内部から取り出される。【００３４】  また、固定蓋７８は、円環部１０６と、円環部１０６の外縁全周に立設された立設部１０８とを有している。立設部１０８の内周面には、ねじ山（図示省略）が形成されており、外筒７２の開口部側の端部に形成されているねじ山（図示省略）に螺合されている。これにより、固定蓋７８は、外筒７２の開口部に着脱可能に取り付けられる。また、円環部１０６の内径は、内筒７６の筒部９６の内径とほぼ同じとされており、筒部９６のはんだカップ７０から延び出す端部が、円環部１０６の内縁に固定されている。このため、固定蓋７８を外筒７２から取り外すことで、内筒７６も外筒７２内部から取り出される。この際、内筒７６に保持されている供給ノズル７４も、外筒７２内部から取り出される。さらに、供給ノズル７４のフランジ部９０とはんだカップ７０の内周面との間で生じる摩擦力によって、はんだカップ７０も、外筒７２から取り出される。つまり、固定蓋７８を外筒７２から取り外すことで、内筒７６と供給ノズル７４とはんだカップ７０とが一体となって、外筒７２から取り出される。【００３５】  また、外筒７２の底面８３には、貫通穴１１０が形成されており、その貫通穴１１０には、エアアダプタ１１２が取り付けられている。エアアダプタ１１２は、エアチューブ１１４の一端部に接続され、エアチューブ１１４の他端部には、装置側エアカプラ１１６が接続されている。その装置側エアカプラ１１６に、はんだ供給装置２６の配設位置に設けられたスライダ側エアカプラ（図３参照）１１８が接続されることで、外筒７２内の空間８６にエアが供給され、供給ノズル７４のノズル穴９２からクリームはんだが排出される。【００３６】  詳しくは、スライダ側エアカプラ１１８には、図３に示すように、エアチューブ１２０の一端部が接続されており、エアチューブ１２０の他端部は、エア供給装置（図４参照）１２２に接続されている。これにより、エアが、エア供給装置１２２から、外筒７２内の空間８６に供給される。空間８６にエアが供給されると、はんだカップ７０の底面が供給ノズル７４に向かって押圧され、はんだカップ７０が下方に移動する。この際、はんだカップ７０内に充填されているクリームはんだが圧縮され、供給ノズル７４のノズル穴９２から排出される。ノズル穴９２から排出されたクリームはんだは、内筒７６の筒部９６および、固定蓋７８の円環部１０６の内部を通り抜け、はんだ供給装置２６の外部に排出される。これにより、はんだ供給装置２６は、クリームはんだを供給する。【００３７】  このように、はんだ供給装置２６では、はんだカップ７０の底面と外筒７２の底面８３とによって空間８６が区画され、その空間８６がエア室として機能している。つまり、はんだカップ７０の底面が、直接、エアにより押圧されることで、はんだカップ７０内のクリームはんだが、ノズル穴９２から排出される。このため、はんだ供給装置２６では、はんだカップ７０を押圧するためのシリンダ装置等を設ける必要がなく、はんだ供給装置２６の小型化を図ることが可能となる。また、シリンダ装置等を設ける必要がないため、コストダウンを図ることが可能となる。さらに言えば、シリンダ装置等を設ける必要がないため、はんだ供給装置２６の構造をシンプルにすることが可能となる。【００３８】  また、はんだ供給装置２６は、図３に示すように、パチン錠１３０によって、Ｘ軸スライダ６０に着脱可能に装着される。詳しくは、Ｘ軸スライダ６０の下端部には、ブラケット１３２が取り付けられており、はんだ供給装置２６の下面が、ブラケット１３２によって支持される。つまり、ブラケット１３２の上に、はんだ供給装置２６を載置することが可能となっている。なお、ブラケット１３２には、はんだ供給装置２６の固定蓋７８の円環部１０６の内径と同程度の貫通穴が形成されている。これにより、ブラケット１３２上に載置されたはんだ供給装置２６から、ブラケット１３２の貫通穴を介して、クリームはんだが供給される。【００３９】  Ｘ軸スライダ６０には、ブラケット１３２の上方に、２枚の囲い板１３４，１３６が、ブラケット１３２に対して垂直となるように、対向して固定されている。それら２枚の囲い板１３４，１３６の間の距離は、はんだ供給装置２６の外筒７２の外径より僅かに長くされており、２枚の囲い板１３４，１３６の間に、はんだ供給装置２６が載置される。また、囲い板１３４には、ヒンジ１３８を介して、開閉板１４０の一端部が取り付けられている。開閉板１４０の他端部には、パチン錠１３０のレバー部１４６が設けられており、囲い板１３６には、パチン錠１３０の掛止部１４８が設けられている。そして、開閉板１４０が閉じられた状態で、レバー部１４６が掛止部１４８に引っ掛けられた状態でロックされることで、はんだ供給装置２６が、Ｘ軸スライダ６０に固定的に装着される。また、パチン錠１３０のロックを解除し、開閉板１４０を開けることで、はんだ供給装置２６をＸ軸スライダ６０から取り外すことが可能となる。なお、装置側エアカプラ１１６とスライダ側エアカプラ１１８とは、着脱可能とされており、はんだ供給装置２６をＸ軸スライダ６０から取り外す際には、装置側エアカプラ１１６がスライダ側エアカプラ１１８から取り外される。【００４０】  また、はんだ印刷機１０は、図４に示すように、制御装置１５０を備えている。制御装置１５０は、コントローラ１５２と、複数の駆動回路１５４とを備えている。複数の駆動回路１５４は、上記電磁モータ３２，５８，６２，６６，６８、保持装置３６、エア供給装置１２２に接続されている。また、コントローラ１５２���、ＣＰＵ，ＲＯＭ，ＲＡＭ等を備え、コンピュータを主体とするものであり、複数の駆動回路１５４に接続されている。これにより、搬送装置２０、移動装置２２、スキージ装置２４、はんだ供給装置２６の作動が、コントローラ１５２によって制御される。【００４１】  ＜回路基板へのクリームはんだの印刷＞  はんだ印刷機１０では、上述した構成によって、回路基板３４上に載置されたメタルマスクの上面に、クリームはんだが、はんだ供給装置２６により供給され、そのクリームはんだが、スキージ装置２４によって塗布される。メタルマスクには、回路基板３４のパッド等のパターンに合わせてパターン孔が形成されており、そのパターン孔を介して、クリームはんだが回路基板３４に印刷される。【００４２】  具体的には、コントローラ１５２の指令により、回路基板３４が作業位置まで搬送され、その位置において、保持装置３６によって固定的に保持される。そして、はんだ供給装置２６が、コントローラ１５２の指令により、回路基板３４の所定の位置の上方に移動する。続いて、はんだ供給装置２６は、コントローラ１５２の指令により、エア供給装置１２２から外筒７２内の空間８６にエアを供給する。これにより、ノズル穴９２からクリームはんだが排出され、回路基板３４上に載置されたメタルマスクの上面に、クリームはんだが供給される。次に、スキージ装置２４が、コントローラ１５２の指令により、クリームはんだが供給された箇所の上方に移動する。そして、スキージ装置２４は、コントローラ１５２の指令により、スキージを下方に移動させた後に、Ｙ軸方向に移動させる。これにより、メタルマスクの上面にクリームはんだが塗布され、パターン孔の内部にクリームはんだが入り込む。このようにして、はんだ印刷機１０では、回路基板３４にクリームはんだが印刷される。【００４３】  ＜はんだカップの交換＞  上述したように、回路基板３４へのクリームはんだ印刷時には、はんだ供給装置２６のはんだカップ７０からクリームはんだが供給されるため、はんだカップ７０が空になる。このため、空になったはんだカップ７０を、クリームはんだが充填されているはんだカップ７０に交換する必要がある。以下に、はんだカップ７０の交換手順ついて、詳しく説明する。【００４４】  まず、パチン錠１３０のロックが解除され、開閉板１４０が開けられる。また、装置側エアカプラ１１６がスライダ側エアカプラ１１８から取り外される。そして、はんだ供給装置２６が、Ｘ軸スライダ６０から取り外され、はんだ印刷機１０外に取り出される。はんだ供給装置２６が機外に取り出されると、固定蓋７８を外筒７２に対して左回りに回転させ、固定蓋７８と外筒７２との螺合を解除する。これにより、図５に示すように、固定蓋７８と内筒７６と供給ノズル７４とはんだカップ７０とが一体的に、外筒７２から取り外される。【００４５】  次に、はんだカップ７０と固定蓋７８との少なくとも一方が、互いに離れる方向に引っ張られる。これにより、図６に示すように、固定蓋７８と内筒７６と供給ノズル７４とが一体的に、はんだカップ７０と分離する。つまり、空のはんだカップ７０の内部から、供給ノズル７４が、内筒７６とともに引き出される。【００４６】  続いて、図７に示すように、外筒７２の内部に、新品のはんだカップ７０、つまり、クリームはんだの充填されたはんだカップ７０がセットされる。そして、そのはんだカップ７０の内部に供給ノズル７４を嵌入させた状態で、固定蓋７８が外筒７２の開口部に螺合される。これにより、図８に示すように、はんだ供給装置２６内に、新品のはんだカップ７０がセットされる。【００４７】  はんだ供給装置２６内に、新品のはんだカップ７０がセットされると、そのはんだ供給装置２６がはんだ印刷機１０内に持ち込まれ、ブラケット１３２の上に載置される。そして、開閉板１４０が閉じられ、パチン錠１３０がロックされる。また、装置側エアカプラ１１６がスライダ側エアカプラ１１８に取り付けられる。これにより、はんだ供給装置２６がＸ軸スライダ６０に固定的に装着され、はんだカップ７０の交換が終了する。【００４８】  このように、はんだ印刷機１０では、固定蓋７８と外筒７２との螺合により、固定蓋７８と外筒７２と内筒７６と供給ノズル７４とはんだカップ７０とが一体物となっているため、作業者は、片手で、はんだ供給装置２６を把持し、容易にはんだ印刷機１０の外部に持ち出すことが可能となっている。これにより、はんだ印刷機１０の外部で、はんだカップ７０の交換を行うことが可能となり、交換時におけるクリームはんだの落下等によるはんだ印刷機１０の内部の汚れを抑制することが可能となる。また、狭いはんだ印刷機１０内部での交換作業でなく、はんだ印刷機１０の外部で交換作業を行えるため、交換作業を容易に行うことが可能となる。さらに、はんだカップ７０の清掃等も、はんだ印刷機１０の外部で行うことが可能となり、清掃作業も容易となる。また、供給ノズル７４は、上述したように、内筒７６から取り外すことが可能であるため、汚れやすい供給ノズル７４を、単独で清掃することが可能となる。【００４９】  また、例えば、はんだ供給装置２６を、もう一台用意しておくことで、はんだカップの交換作業を極めて短い時間で行うことが可能となる。詳しくは、Ｘ軸スライダ６０に装着されているはんだ供給装置２６と別のはんだ供給装置を、用意しておいて、その別のはんだ供給装置に、図８に示すように、新品のはんだカップ７０をセットしておく。そして、Ｘ軸スライダ６０からはんだ供給装置２６を取り外し、新品のはんだカップ７０がセットされた別のはんだ供給装置をＸ軸スライダ６０に装着することで、はんだカップの交換作業が完了する。これにより、はんだカップの交換作業を極めて短い時間で行うことが可能となる。【００５０】  ［第２実施例］  第１実施例のはんだ印刷機１０では、Ｘ軸スライダ６０から取り外し可能なはんだ供給装置２６が採用されているが、はんだカップの取り外し、および取り付けの容易なはんだ供給装置を採用することが可能である。はんだカップの取り外し、および取り付けの容易なはんだ供給装置１６０を、第２実施例として、図９に示す。【００５１】  はんだ供給装置１６０は、はんだカップ１６２とアダプタ１６４と外筒１６６と供給ノズル１６８と内筒１７０と固定蓋１７２とを有している。はんだカップ１６２は、第１実施例のはんだカップ７０と同形状である。つまり、一端部に開口部を有する有底円筒形状の容器であり、開口部側の外周面には、フランジ部１７４が形成されている。そして、はんだカップ１６２の内部に、クリームはんだが充填されている。【００５２】  アダプタ１６４も、一端部に開口部を有する有底円筒形状とされており、アダプタ１６４の内部に、はんだカップ１６２が収納されている。詳しくは、アダプタ１６４の内径は、はんだカップ１６２のフランジ部１７４の外径より僅かに小さくされており、はんだカップ１６２の筒状の部分の外径より僅かに大きくされている。そして、はんだカップ１６２の底面側の端部が、アダプタ１６４の開口部から嵌入され、はんだカップ１６２が、アダプタ１６４内に収納されている。なお、アダプタ１６４の深さ寸法は、はんだカップ１６２のフランジ部１７４から底面までの長さ寸法より長くされており、アダプタ１６４内に収納されたはんだカップ１６２のフランジ部１７４は、アダプタ１６４の開口側の端部に当接する。このため、はんだカップ１６２のフランジ部１７４より開口部側の部分は、アダプタ１６４の開口部から延び出している。【００５３】  また、外筒１６６も、一端部に開口部を有する有底円筒形状とされており、外筒１６６の内部に、アダプタ１６４が収納されている。詳しくは、外筒１６６の内径は、アダプタ１６４の外径より僅かに大きくされている。そして、アダプタ１６４の底面と外筒１６６の底面１７５とが向かい合った状態で、アダプタ１６４が、外筒１６６内に収納されている。これにより、アダプタ１６４は、外筒１６６の内部を摺動する。なお、外筒１６６の底面１７５の内側中央部には、凹部１７６が形成されており、その凹部１７６と、アダプタ１６４の底面とによって、空間１７７が区画されている。【００５４】  また、供給ノズル１６８は、ノズル部１７８とフランジ部１８０とから構成されており、ノズル部１７８とフランジ部１８０とが、弾性変形可能な素材により一体的に形成されている。ノズル部１７８は、概して円筒形状とされており、内部を貫通するノズル穴１８２が形成されている。フランジ部１８０は、ノズル部１７８の一端部側の外周面から円盤状に延び出しており、フランジ部１８０の外径は、はんだカップ１６２の内径より僅かに大きくされている。そして、フランジ部１８０は、ノズル部１７８がはんだカップ１６２の開口部側を向くように、はんだカップ１６２内に嵌入されており、フランジ部１８０の外周部が弾性変形した状態で、供給ノズル１６８とはんだカップ１６２とが相対的に移動する。なお、ノズル部１７８の長さ寸法は、はんだカップ１６２の深さ寸法より長くされている。このため、供給ノズル１６８とはんだカップ１６２とが相対的に移動し、図１０に示すように、フランジ部１８０がはんだカップ１６２の底面に接近した状態であっても、ノズル部１７８の先端部は、はんだカップ１６２の開口部から延び出している。【００５５】  また、内筒１７０は、図９に示すように、円筒形状の筒部１８６と、筒部１８６の一端を覆う円環部１８８とを有している。円環部１８８の内径は、供給ノズル１６８のノズル部１７８の外径より僅かに大きくされている。そして、その円環部１８８の内径部に、ノズル部１７８が挿入され、供給ノズル１６８のフランジ部���８０が、円環部１８８に接触した状態で、内筒１７０が供給ノズル１６８を支持している。また、ノズル部１７８の長さ寸法は、内筒１７０の長さ寸法より長くされている。これにより、ノズル部１７８は、内筒１７０内部を貫通し、ノズル部１７８の先端部が、内筒１７０の円環部１８８と反対側の端部から延び出している。【００５６】  また、固定蓋１７２は、円板形状とされており、中央部に貫通穴１９０が形成されている。固定蓋１７２は、外筒１６６の開口部側の端部に固定されており、外筒１６６の開口部を塞いでいる。また、外筒１６６の内部では、内筒１７０が、円環部１８８と反対側の端部において、固定蓋１７２に固定されており、内筒１７０に支持されている供給ノズル１６８のノズル部１７８の先端部が、貫通穴１９０内に挿入されている。なお、貫通穴１９０の内径は、ノズル部１７８の外径より大きくされている。【００５７】  また、外筒１６６の底面１７５の凹部１７６には、貫通穴２００が形成されており、その貫通穴２００には、エアアダプタ２０２が取り付けられている。エアアダプタ２０２は、エアチューブ２０４の一端部に接続され、そのエアチューブ２０４の他端部には、エア供給装置（図４参照）１２２が接続されている。このような構造により、はんだ供給装置１６０では、エア供給装置１２２から外筒１６６内へのエアの供給により、供給ノズル１６８のノズル穴１８２からクリームはんだが排出される。【００５８】  詳しくは、エアが、エア供給装置１２２から、エアチューブ２０４およびエアアダプタ２０２を介して、外筒１６６内の空間１７７に供給される。空間１７７にエアが供給されると、アダプタ１６４の底面が供給ノズル１６８に向かって押圧され、アダプタ１６４が下方に移動する。この際、はんだカップ１６２も、アダプタ１６４とともに下方に移動し、はんだカップ１６２内に充填されているクリームはんだが圧縮される。これにより、クリームはんだが、供給ノズル１６８のノズル穴１８２から排出される。【００５９】  このように、はんだ供給装置１６０では、はんだカップ１６２を収容するアダプタ１６４の底面と外筒１６６の凹部１７６とによって空間１７７が区画され、その空間１７７がエア室として機能している。つまり、はんだカップ１６２を収容するアダプタ１６４の底面が、直接、エアにより押圧されることで、はんだカップ１６２内のクリームはんだが、ノズル穴１８２から排出される。このため、はんだ供給装置１６０においても、第１実施例のはんだ供給装置２６と同様に、はんだカップ１６２を押圧するためのシリンダ装置等を設ける必要がなく、第１実施例のはんだ供給装置２６と同様の効果を得ることが可能となっている。【００６０】  また、はんだ供給装置１６０では、外筒１６６の底面１７５が開閉可能となっており、外筒１６６が搖動可能となっている。このため、底面１７５からはんだカップ１６２を容易に出し入れすることが可能となっている。詳しくは、外筒１６６は、保持ユニット２０８によって保持されており、その保持ユニット２０８が、Ｘ軸スライダ６０に着脱可能に装着される。また、外筒１６６は、円筒部材２１０と底部材２１２との２つの部材によって構成されており、底部材２１２が、保持ユニット２０８の上端に、ヒンジ２１４を介して取り付けられている。これにより、底部材２１２が開閉し、円筒部材２１０の上端が開放、若しくは、閉じられる。また、底部材２１２には、パチン錠２１６のレバー部２１８およびジョイント２２０が設けられており、円筒部材２１０の上端部には、パチン錠２１６の掛止部２２２が設けられている。そして、底部材２１２が閉じられた状態で、ジョイント２２０が掛止部２２２に引っ掛けられ、レバー部２１８が操作されることで、パチン錠２１６がロックされる。これにより、底部材２１２が円筒部材２１０の上端に密着し、空間１７７が密閉される。また、レバー部２１８の操作により、パチン錠２１６のロックを解除することで、底部材２１２を開け、円筒部材２１０の上端を開放することが可能となる。【００６１】  また、外筒１６６は、保持ユニット２０８によって、搖動可能に保持されている。このため、例えば、はんだカップ１６２内のクリームはんだが空となった場合（図１０参照）には、パチン錠２１６のロックが解除され、底部材２１２が開けられることで、外筒１６６は、図１１に示すように、搖動する。これにより、外筒１６６は、９０°以上傾斜し、外筒１６６の上端が斜め下方向を向く。このため、外筒１６６内に収容されているアダプタ１６４が、重力により、外筒１６６の上端部から排出される。この際、アダプタ１６４内に収容されているはんだカップ１６２も、重力により、アダプタ１６４とともに外筒１６６の上端部から排出される。【００６２】  また、はんだカップ１６２内に収容されている供給ノズル１６８は、供給ノズル１６８のフランジ部１８０とはんだカップ１６２の内周面との間に生じる摩擦力により、はんだカップ１６２とともに外筒１６６の上端部から排出される。詳しくは、フランジ部１８０は、上述したように、はんだカップ１６２内で弾性変形しており、フランジ部１８０とはんだカップ１６２の内周面との間に摩擦力が発生している。一方、供給ノズル１６８のノズル部１７８と、そのノズル部１７８を保持する内筒１７０の円環部１８８との間では、殆ど摩擦力は発生しない。これは、円環部１８８の内径が、ノズル部１７８の外径より僅かに大きいためである。このため、フランジ部１８０とはんだカップ１６２の内周面との間に生じる摩擦力が、ノズル部１７８と円環部１８８との間で生じる摩擦力、つまり、円環部１８８によるノズル部１７８の保持力より大きくなる。これにより、供給ノズル１６８が、はんだカップ１６２とともに外筒１６６の上端部から排出される。【００６３】  このように、はんだ供給装置１６０では、外筒１６６の上端部を開放し、外筒１６６を搖動させるだけで、アダプタ１６４とはんだカップ１６２と供給ノズル１６８とを一体的に、外筒１６６から取り出すことが可能である。これにより、はんだカップの交換を、はんだ印刷機１０の外部で行うことが可能となり、第１実施例のはんだ供給装置２６と同様の効果を得ることが可能となっている。【００６４】  また、第２実施例のはんだカップの交換では、アダプタ１６４とはんだカップ１６２と供給ノズル１６８との一体物が、アダプタ１６４とはんだカップ１６２と供給ノズル１６８とに分離される。そし��、分離されたアダプタ１６４に新品のはんだカップが嵌入され、その新品のはんだカップに供給ノズル１６８が嵌入される。これにより、アダプタ１６４と新品のはんだカップと供給ノズル１６８との一体物が、形成される。そして、その一体物が外筒１６６内に収容され、外筒１６６の上端が底部材２１２により閉じられた状態でパチン錠２１６がロックされることで、はんだカップの交換作業が終了する。このように、第２実施例のはんだ供給装置１６０では、第１実施例のはんだ供給装置２６と比較して、はんだカップの交換時の工程が少なくなっており、はんだカップの交換作業を短い時間で行うことが可能となる。【００６５】  さらに、はんだ供給装置１６０では、アダプタ１６４と供給ノズル１６８とを、もう一個ずつ用意しておくことで、はんだカップの交換作業を極めて短い時間で行うことが可能となる。詳しくは、外筒１６６の内部に収容されているアダプタ１６４と供給ノズル１６８とは別のアダプタと供給ノズルとを、用意しておく。その別に用意されたアダプタに新品のはんだカップを嵌入し、別に用意された供給ノズル１６８を、その新品のはんだカップに嵌入する。これにより、外筒１６６の内部に収容されているアダプタ１６４とはんだカップ１６２と供給ノズル１６８との一体物とは、別のアダプタと新品のはんだカップと供給ノズルとの一体物が、形成される。そして、外筒１６６の内部に収容されているアダプタ１６４とはんだカップ１６２と供給ノズル１６８との一体物が、外筒１６６から取り出された後に、別のアダプタと新品のはんだカップと供給ノズルとの一体物を外筒１６６内に収容することで、はんだカップの交換作業が完了する。これにより、はんだカップの交換作業を極めて短い時間で行うことが可能となる。【００６６】  なお、第１実施例のはんだ供給装置２６では、はんだカップの交換時間を短縮するために、はんだ供給装置２６と異なるはんだ供給装置を用意する必要があったが、第２実施例のはんだ供給装置１６０では、アダプタ１６４と供給ノズル１６８と異なるアダプタと供給ノズルを用意すればよい。このため、第２実施例のはんだ供給装置１６０では、比較的、安価な投資により、はんだカップの交換時間を短縮することが可能となる。【００６７】  ［第３実施例］  第１実施例および第２実施例のはんだ供給装置２６，１６０では、はんだカップ７０，１６２の移動により、クリームはんだが吐出されるが、供給ノズルの移動によりクリームはんだを吐出することも可能である。供給ノズルの移動によりクリームはんだを吐出するはんだ供給装置２３０を、第３実施例として、図１２に示す。【００６８】  はんだ供給装置２３０は、はんだカップ２３２と外筒２３４とピストン２３６と固定蓋２３８とノズル管２４０とを有している。はんだカップ２３２は、第１実施例のはんだカップ７０と同形状である。つまり、一端部に開口部を有する有底円筒形状の容器であり、開口部側の外周面には、フランジ部２４２が形成されている。そして、はんだカップ２３２の内部に、クリームはんだが充填されている。【００６９】  外筒２３４は、両端部が開口する円筒形状とされており、外筒２３４の内部に、はんだカップ２３２が収納されている。詳しく��、外筒２３４の内径は、はんだカップ２３２のフランジ部２４２の外径より僅かに小さくされており、はんだカップ２３２の筒状の部分の外径より僅かに大きくされている。そして、はんだカップ２３２の底面側の端部が、外筒２３４の一端部から嵌入され、はんだカップ２３２が、外筒２３４内に収納されている。なお、はんだカップ２３２のフランジ部２４２より開口部側の部分は、外筒２３４の開口部から延び出している。【００７０】  また、ピストン２３６は、円筒部２４６とフランジ部２４８とから構成されており、円筒部２４６とフランジ部２４８とが、弾性変形可能な素材により一体的に形成されている。フランジ部２４８は、円筒部２４６の一端部側の外周面から円盤状に延び出しており、フランジ部２４８の外径は、はんだカップ２３２の内径より僅かに大きくされている。そして、フランジ部２４８は、円筒部２４６がはんだカップ２３２の開口部側を向くように、はんだカップ２３２内に嵌入されており、弾性変形した状態で、はんだカップ２３２内を摺動する。【００７１】  また、固定蓋２３８は、円環部２５０と、円環部２５０の外縁全周に立設された立設部２５２とを有している。立設部２５２の内周面には、ねじ山（図示省略）が形成されており、外筒２３４の一端部の外周面に形成されているねじ山（図示省略）に螺合されている。これにより、固定蓋２３８は、外筒２３４の一端部に着脱可能に取り付けられる。【００７２】  また、ノズル管２４０は、概して円筒形状とされており、内部を貫通するノズル穴２５６が形成されている。ノズル管２４０の外径は、固定蓋２３８の円環部２５０の内径と略同じとされており、ノズル管２４０が、円環部２５０に挿入され、ノズル管２４０と円環部２５０とが固定されている。これにより、円環部２５０に固定されたノズル管２４０の一端部は、固定蓋２３８から延び出し、他端部は、外筒２３４の内部、つまり、外筒２３４に収容されたはんだカップ２３２内に入り込んでいる。はんだカップ２３２内に入り込んだノズル管２４０は、はんだカップ２３２内に収容されているピストン２３６の円筒部２４６内に嵌入されている。その円筒部２４６の内径は、ノズル管２４０の外径より僅かに小さい。このため、円筒部２４６は、弾性変形した状態でノズル管２４０の外周面上を摺動する。【００７３】  上述した構造により、固定蓋２３８により外筒２３４の一端部が閉じられることで、はんだカップ２３２の内部は、ピストン２３６によって、上室２５８と下室２６０とに区画される。上室２５８には、はんだカップ２３２内のクリームはんだが充填されている。一方、下室２６０には、何も充填されていないが、固定蓋２３８には、貫通穴２６２が形成され、下室２６０に貫通穴２６２が開口している。その貫通穴２６２には、エアアダプタ２６４が取り付けられている。エアアダプタ２６４は、エアチューブ２６６の一端部に接続され、そのエアチューブ２６６の他端部には、エア供給装置（図４参照）１２２が接続されている。このような構造により、はんだ供給装置２３０では、エア供給装置１２２からのエアの供給により、ノズル管２４０のノズル穴２５６からクリームはんだが排出される。【００７４】  詳しくは、エアが、エア���給装置１２２から、エアチューブ２６６およびエアアダプタ２６４を介して、下室２６０に供給される。下室２６０にエアが供給されると、ピストン２３６の下室２６０側の面、つまり、ピストン２３６のはんだカップ２３２の開口を向く側の面が、はんだカップ２３２の底面に向かって押圧され、ピストン２３６が上方に移動する。これにより、上室２５８内に充填されているクリームはんだが圧縮され、固定蓋２３８から延び出しているノズル管２４０の先端部のノズル穴２５６から排出される。【００７５】  このように、はんだ供給装置２３０では、固定蓋２３８により外筒２３４の一端部が閉じられることで、はんだカップ２３２の内部が、ピストン２３６によって、上室２５８と下室２６０とに区画される。そして、上室２５８に、クリームはんだが充填され、下室２６０がエア室として機能している。つまり、ピストン２３６の下室側の面が、直接、エアにより押圧されることで、上室２５８内のクリームはんだが、ノズル穴２５６から排出される。このため、第３実施例のはんだ供給装置２３０においても、第１実施例のはんだ供給装置２６および、第２実施例のはんだ供給装置１６０と同様に、シリンダ装置等を設ける必要がなく、はんだ供給装置２６，１６０と同様の効果を得ることが可能となっている。【００７６】  また、第３実施例のはんだカップの交換では、固定蓋２３８を外筒２３４に対して左回りに回転させ、固定蓋２３８と外筒２３４との螺合を解除する。これにより、固定蓋２３８とノズル管２４０とが、外筒２３４から取り外される。この際、ノズル管２４０が嵌入されているピストン２３６も、ノズル管２４０とピストン２３６の円筒部２４６との間に生じる摩擦力により、ノズル管２４０とともに外筒２３４から取り出される。さらに、ピストン２３６が嵌入されているはんだカップ２３２も、ピストン２３６のフランジ部２４８とはんだカップ２３２との間に生じている摩擦力により、ピストン２３６とともに外筒２３４から取り出される。これにより、固定蓋２３８とノズル管２４０とピストン２３６とはんだカップ２３２とが一体物として、外筒２３４から取り外される。【００７７】  次に、固定蓋２３８とはんだカップ２３２との少なくとも一方を離間する方向に引っ張ることで、固定蓋２３８とノズル管２４０とピストン２３６とはんだカップ２３２との一体物から、はんだカップ２３２のみが分離する。これは、ノズル管２４０とピストン２３６の円筒部２４６との間に生じる摩擦力のためである。詳しくは、ピストン２３６の円筒部２４６は、上述したように、ノズル管２４０の外周面において弾性変形しており、円筒部２４６とノズル管２４０との間に摩擦力が発生している。また、ピストン２３６のフランジ部２４８も、上述したように、はんだカップ２３２の内周面において弾性変形し、フランジ部２４８とはんだカップ２３２との間に摩擦力が発生しているが、その摩擦力は、円筒部２４６とノズル管２４０との間に生じている摩擦力より小さい。このため、ピストン２３６は、ノズル管２４０とともにはんだカップ２３２から取り出される。【００７８】  このように、ピストン２３６がはんだカップ２３２から取り出されることで、空のはんだカップ２３２��分離される。次に、分離された外筒２３４に新品のはんだカップが嵌入される。その新品のはんだカップが嵌入された外筒２３４に、固定蓋２３８とノズル管２４０とピストン２３６との一体物が取り付けられることで、はんだカップの交換作業が終了する。このように、第３実施例のはんだ供給装置２３０においても、比較的少ない工程によりはんだカップを交換することが可能となり、はんだカップの交換作業を短い時間で行うことが可能となる。【００７９】  また、第３実施例のはんだ供給装置２３０を、第１実施例のはんだ供給装置２６の代わりに、Ｘ軸スライダ６０に装着することが可能である。これにより、はんだ供給装置２３０のはんだ印刷機１０からの取り出しが容易となり、はんだ供給装置２６と同様の効果を得ることが可能となっている。【００８０】  ちなみに、上記実施例において、はんだ印刷機１０は、はんだ印刷機の一例である。はんだ供給装置２６は、はんだ供給装置の一例である。はんだカップ７０は、はんだ容器の一例である。外筒７２は、外筒および区画部材の一例である。内筒７６は、内筒の一例である。空間８６は、エア室の一例である。ノズル部８８は、ノズルの一例である。フランジ部９０は、ピストンの一例である。パチン錠１３０は、ロック機構の一例である。はんだ供給装置１６０は、はんだ供給装置の一例である。はんだカップ１６２は、はんだ容器の一例である。アダプタ１６４は、アダプタの一例である。外筒１６６は、外筒および区画部材の一例である。内筒１７０は、内筒の一例である。空間１７７は、エア室の一例である。ノズル部１７８は、ノズルの一例である。フランジ部１８０は、ピストンの一例である。はんだ供給装置２３０は、はんだ供給装置の一例である。はんだカップ２３２は、はんだ容器の一例である。ピストン２３６は、ピストンの一例である。固定蓋２３８は、蓋および区画部材の一例である。ノズル管２４０は、ノズルの一例である。下室２６０は、エア室の一例である。【００８１】  なお、本発明は、上記実施例に限定されるものではなく、当業者の知識に基づいて種々の変更、改良を施した種々の態様で実施することが可能である。具体的には、例えば、上記第１実施例では、はんだ供給装置２６をＸ軸スライダ６０に着脱可能に装着するためのロック機構として、パチン錠１３０が採用されているが、種々のロック機構を採用することが可能である。ただし、交換作業の短縮化等を考慮すると、ワンタッチではんだ供給装置２６をＸ軸スライダ６０に着脱するためのロック機構、つまり、はんだ供給装置２６の取り付けと取り外しとを再現性よく、繰返し行うことが可能なロック機構を採用することが好ましい。具体的には、例えば、磁石，スプリング式のロック機構等を採用することが好ましい。【００８２】  また、上記第３実施例では、外筒２３４に固定蓋２３８が螺合されているが、固定蓋をはんだカップ２３２に螺合することも可能である。このように、固定蓋をはんだカップ２３２に螺合する場合には、外筒２３４が不要となり、コスト削減を図ることが可能となる。また、固定蓋をはんだカップ２３２に螺合する場合には、はんだカップ２３２に予め形成されているねじ山、つまり、はんだカップの蓋が螺合しているねじ山を利用することが可能となる。これにより、はんだカップにねじ山を形成する必要がなくなり、コスト削減を図ることが可能となる。
【符号の説明】
【００８３】  １０：はんだ印刷機    ２６：はんだ供給装置    ７０：はんだカップ（はんだ容器）    ７２：外筒（区画部材）    ７６：内筒    ８６：空間（エア室）    ８８：ノズル部（ノズル）    ９０：フランジ部（ピストン）    １３０：パチン錠（ロック機構）    １６０：はんだ供給装置    １６２：はんだカップ（はんだ容器）    １６４：アダプタ    １６６：外筒（区画部材）    １７０：内筒    １７７：空間（エア室）    １７８：ノズル部（ノズル）    １８０：フランジ部（ピストン）    ２３０：はんだ供給装置    ２３２：はんだカップ（はんだ容器）    ２３６：ピストン    ２３８：固定蓋（蓋）（区画部材）    ２４０：ノズル管（ノズル）    ２６０：下室（エア室）
【図１】
2015083271.tif 000003
【図２】
2015083271.tif 000004
【図３】
2015083271.tif 000005
【図４】
2015083271.tif 000006
【図５】
2015083271.tif 000007
【図６】
2015083271.tif 000008
【図７】
2015083271.tif 000009
【図８】
2015083271.tif 000010
【図９】
2015083271.tif 000011
【図１０】
2015083271.tif 000012
【図１１】
2015083271.tif 000013
【図１２】
2015083271.tif 000014
【国際調査報告】
2015083271.tif 000015
2015083271.tif 000016
2015083271.tif 000017
2015083271.tif 000018